(57)【要約】      （修正有）【課題】エアーマットへのシーツ掛け時に吸排気用パイプの連結器に触ることなく、シーツ掛け後に連結器へのシーツずれ込みを防止して、パイプ連結器の損傷を皆無にし、吸排気ポンプ器の吸排機能を長期に健全に維持するワンタッチシーツを提供する【解決手段】シーツ本体の上部にエアーマットＡＭの上端部を包む立体的な袋部１０１を形成し、シーツ本体の両側部にエアーマットＡＭの両側部をその裏面縁部に亘って包み込む側縁折込部を有し、シーツ本体の下端部にエアーマットＡＭの下部をその裏面縁部に亘って包み込む包む下縁折込部１１５を有し、上記側縁折込部の内でエアーマットの吸排気ポンプ器５００用のパイプ連結器５０１の装着部側になる一方の側縁折込部にパイプ連結器５０１を露出させる切欠き部１０４を形成したことを特徴とするエアーマット用のワンタッチシーツ。【選択図】図３
0003182298.tif 000002
【実用新案登録請求の範囲】
【請求項１】
シーツ本体１００の上部にエアーマットＡＭの上端部を包む立体的な袋部１０１を形成し、シーツ本体１００の両側部にエアーマットＡＭの両側部をその裏面縁部に亘って包み込む側縁折込部１０２，１０３を有し、シーツ本体１００の下端部にエアーマットＡＭの下部をその裏面縁部に亘って包み込む包む下縁折込部１１５を有し、上記側縁折込部１０２，１０３の内でエアーマットの吸排気ポンプ器５００用のパイプ連結器５０１の装着部側になる一方の側縁折込部にパイプ連結器５０１を露出させる切欠き部１０４を形成したことを特徴とするエアーマット用のワンタッチシーツ。
【考案の詳細な説明】
【技術分野】
【０００１】  本考案は、エアーマットに迅速に施布するエアーマット用ワンタッチシーツに関するものである。
【背景技術】
【０００２】病院、介護施設などではリハビリ、入浴以外はベッドで寝たきりが多く、このため長時間病臥する患者や老人の体圧を広範囲に分散させたり、床ずれの原因となる局部的に荷重が加わることを防止するためのエアーマットや、体圧の加わる位置を一定の時間で交換することにより長時間局部的に荷重が加わることを防止するエアーマット等が利用されている。【０００３】これらエアーマットは、吸排気ポンプ器によりその吸排気用パイプをマットの下部の足元側の側面に装着したパイプ連結器に連結して、マット内部のエアー室に空気を供給し又排気し、所定の空気量あるいは空気圧にして利用される。
エアーマットは、体圧を広範囲に分散させ、局部的に荷重がかかることを防止しているが患者等が発汗するとエアーマットが広範囲で体に密着しているため汗が乾燥せず、不衛生となりがちのため、エアーマットシーツの掛け替え作業が多い。【０００４】エアーマットシーツは、一般に織布を用いてエアーマットよりも大きな縦横寸法に形成してエアーマットの上面と全側面と裏面の縁部を折り込み被覆する煩雑な作業を伴うものであった。
このエアーマット掛けシーツは、少なくとも二人の作業者が必要の為、本考案者はその改善策として、一人作業者のワンタッチシーツを開発し、実用新案登録番号３１４３１３７号として社会に公開した。【０００５】上記エアーマットへの上記ワンタッチシーツの施布の際は、マット上部へのシーツ掛けは簡単であるが、マット下部へのシーツ掛けは、前記吸排気ポンプ器のパイプ連結器に注意しながら、シーツ下部をエアーマット下部下に巻き込み、その両端角を引っ張って結び、ずれないようにしていた。
しかし、シーツ施布時や、エアーマットの空気吸排調節によるマット厚み変更や食事の際のマット曲げ起こし操作、利用者の寝返り等によるシートずれの為に、シートが、パイプ連結器に当接し或いは多くずれ込んで、パイプ連結器を損傷させることが惹起する。パイプ連結器が損傷すると、吸排気ポンプ器の吸排機能に支障をきたしエラー機能を作動させてしまいポンプの停止状態を惹起させていた。
【特許文献】
【０００６】
【特許文献１】実用新案登録番号３１４３１３７号公報
【考案の開示】
【考案が解決しようとする課題】
【０００７】本考案は、エアーマットへのワンタッチシーツを掛ける際、吸排気ポンプ器のマットに装着したパイプ連結器に接触させることなく迅速に行うことを可能にし、しかも、シーツ掛け後にパイプ連結器にシーツがずれ込むことを確実に防止してパイプ連結器の損傷を皆無にして、吸排気ポンプ器の吸排機能を長期にわたり健全に維持することを可能にしたエアーマット用のワンタッチシーツを提供するものである。
【課題を解決するための手段】
【０００８】本考案は上記問題を解決するためになされたものでありその特徴とするところは、次の（１）にある。
（１）、シーツ本体１００の上部にエアーマットＡＭの上端部を包む立体的な袋部１０１を形成し、シーツ本体１００の両側部にエアーマットＡＭの両側部をその裏面縁部に亘って包み込む側縁折込部１０２，１０３を形成し、シーツ本体１００の下端部にエアーマットＡＭの下部をその裏面縁部に亘って包み込む包む下縁折込部１０４を形成し、上記側縁折込部１０２，１０３の内でエアーマットの吸排気ポンプ器５００用のパイプ連結器５０１の装着部側になる一方の側縁折込部にパイプ連結器５０１を露出させる切欠き部１０５を形成したことを特徴とするエアーマット用のワンタッチシーツＷＴ。
【考案の効果】
【０００９】本考案のエアーマットＡＭ用のワンタッチシーツＷＴは、エアーマットＡＭに掛けるに当たり、シーツ本体１００の上部に形成した立体的な袋部１０１でエアーマットＡＭの上端部を瞬時に包み、その後シーツ両側部の側縁折込部１０２，１０３でエアーマットＡＭの両側部をその裏面縁部に亘って迅速に包み込み、この側縁折込部１０２，１０３の一方でエアーマットＡＭの当該側部を包み込む際、予じめ形成した切欠き部１０５でパイプ連結器５０１の装着部を自動的に露出させ、次いでシーツ下部の下縁折込部１０４でエアーマットＡＭの下部をその裏面縁部に亘って深く包み込む包むものである。【００１０】これによりエアーマットＡＭへのワンタッチシーツＷＴ掛けは、吸排気ポンプ器５００用のパイプ連結器５０１に接触させることなく迅速に行うことを可能にし、しかも、パイプ連結器５０１の周囲は前記切欠き部１０５を形成した側縁折込部と下縁折込部１０３とによりしっかり押さえられて包み込まれているため、シーツ掛け後にパイプ連結器５０１にシーツがずれ込むことを確実に防止してパイプ連結器５０１の損傷を皆無にして、吸排気ポンプ器５００の吸排機能を長期にわたり健全に維持することを可能にしたものである。
【図面の簡単な説明】
【００１１】
【図１】本考案のエアーマット用のワンタッチシーツの作成初期状態を示す鳥瞰説明図である。
【図２】本考案のエアーマット用のワンタッチシーツの完成状態を示す鳥瞰説明図である。
【図３】本考案のエアーマット用のワンタッチシーツをエアーマットに掛けた状態を示す鳥瞰説明図である。
【考案を実施するための最良の形態】
【００１２】本考案のエアーマット用のワンタッチシーツの実施するための最良の形態は、次の実施例により詳細に説明する。
【実施例】
【００１３】図１において、エアーマットＡＭ用のワンタッチシーツＷＴは、マットＡＭより広幅で長めの長方形のシーツ本体１００を加工したものであり、このシーツ本体１００の上部を所定長さに折込み上部布１１１とし、シーツ布１１０の両側部を側部布１１２、１１３とし、上部布１１１と、側部布１１２、１１３とが合わさった部分の３辺を点線１１４ａのように縫って、エアーマットＡＭの上端部を包む平面的な袋部１１４を形成する。シーツ本体１００の下部にエアーマットＡＭの下部を包み込むための下部布１１５を形成する。【００１４】図２には図１に示した平面的なシーツを立体的にしたワンタッチシーツＷＴを示す。
この立体的なワンタッチシーツＷＴの形成は次のようにして形成する。
先ず、平面形状の袋部１１４の両角部を袋の裏側に押し込み各角部における上部布１１１の折込目と、側部布１１２，１１３の折込目に直行する底辺４０１を有する縦型の三角マチ４００を形成する。三角マチ４００の底辺４０１の長さは、掛けるエアーマットの厚さに応じて決定する。また三角マチ４００の高さは、任意であるが、錘り的機能を加減するのに適宜設定すればよい。次にこの三角マチ４００は、三角マチ４００の底辺４０１を縫合し、頂角部４０２を折込で縫合する。この頂角部４０２の縫合は必須的条件ではないが、洗濯後の形状保持上は便宜的である。この後、表反し（おもてがえし）すれば三角マチ４００の底辺４０１の縫い目が袋の厚み方向となる立体的な袋部１０１となる。
また側部布１１２、１１３は、側縁折込部１０２，１０３としてコの字に立体的に形成される。
下部布１１５はそのまま下縁折込部としてエアーマットＡＭの下部を包み込むための形状を保持する。【００１５】エアーマットＡＭの吸排気ポンプ器５００用のパイプ連結器５０１の装着部側になる側縁折込部１０２には、該パイプ連結器５０１を露出させるための切欠き部１０４を形成する。【００１６】次に、このようにして製作したエアーマットＡＭ用のワンタッチシーツＷＴは、エアーマットＡＭの側方近傍などから、一人でシーツ掛けすることができる。このシーツ掛けした状態を図３に示す。但し図３には下縁折込部１１５によるマット下部部の包み敷き前の状態である。
図３において、シーツ掛けは、シーツの下部側を持ち上部を広げながらマット上部側に投げ掛けるだけで袋部１０１が広がり中に空気が入いり立体的になってエアーマットの上端部に合わせ掛け置くことができる。そしてシーツを下に引くのみでエアーマットの上端部がスッポリ瞬時に入りフィットする。
この後、側縁折込部１０２，１０３でエアーマットの両側部をその裏面縁部に亘って迅速に包み込むが、一方の側縁折込部１０２で包み込む際、切欠き部１０４でパイプ連結器５０１の装着部を自動的に露出させる。ここまでの作業結果が図３である。【００１７】次いで下縁折込部１１５で矢印Ａのようにエアーマットの下部をその裏面縁部に亘って深く包み敷き込んで、一枚のシーツ掛けを迅速に完了する。
このように本例のワンタッチシーツＷＴは、エアーマットＡＭに対して、一人作業による簡単迅速なシーツ掛けにより、吸排気ポンプ器５００用のパイプ連結器５０１に接触させることなくしかも、パイプ連結器５０１の周囲はシーツの前記切欠き部１０４を形成した側縁折込部１０２と下縁折込部１１５とによりしっかり押さえて包み込むから、シーツ掛け後にパイプ連結器５０１にシーツがずれ込むことを確実に防止してパイプ連結器５０１の損傷を皆無にして、吸排気ポンプ器５００の吸排機能を長期にわたり健全に維持するものである。
【産業上の利用可能性】
【００１８】本考案のワンタッチ掛けシートは、前述した優れた効果を呈するため、特に病院、ホテル等の寝具として使用するエアーマットへの適用効果が抜群であり、当該業界での活用拡大が大きく期待される。
【符号の説明】
【００１９】ＡＭ：エアーマット                        １００：長方形のシーツ本体
ＷＴ：ワンタッチシーツ                    １１１：上部布
１１２、１１３：側部布                    ４００：三角マチ
１１４：平面的な袋部                      ４０１：三角マチの底辺
１１５：下部布（下縁折込部）              ４０２：三角マチの頂部
１０１：立体的な袋部                      ５００：吸排気ポンプ器
１０２，１０３：側縁折込部                ５０１：パイプ連結器
１０４：切欠き部
【図１】
0003182298.tif 000003
【図２】
0003182298.tif 000004
【図３】
0003182298.tif 000005